(57)【要約】【課題】プル型スキャンモードとプッシュ型スキャンモードの両方に対応できる携帯端末装置であって、ユーザーがどちらのモードを選択したら良いかを判断する必要を無くした使い勝手の良い携帯端末装置等を提供する。【解決手段】ユーザーによるスキャン設定の開始指示の受け付け後、設定対象の画像処理装置２に関し、プル型スキャンモードで設定可能な設定項目と、プッシュ型スキャンモードで設定可能な設定項目のうち、少なくとも一方のモードにおいて設定可能な設定項目がユーザーによる設定が可能に表示手段１２０に表示される。この設定項目の中からユーザーによって設定された全ての設定項目のスキャン設定を、プル型スキャンモードまたはプッシュ型スキャンモードの一方でのみユーザーによって実行可能である場合、そのモードを使用するモードとして決定し、該モードに対応する動作を実行する。【選択図】図９
2017112508.tif 000002
【特許請求の範囲】
【請求項１】
携帯端末装置が主導して画像処理装置にスキャン動作を実行させ、得られたスキャンデータを携帯端末装置へ送信させるプル型スキャンモードにおいて設定可能な設定項目と、前記画像処理装置が主導してスキャン動作を実行し、得られたスキャンデータを携帯端末装置に送信してもらうプッシュ型スキャンモードの両方に対応可能な携帯端末装置であって、
表示手段と、
ユーザーによるスキャン設定の開始指示を受け付ける開始指示受付手段と、
前記開始指示受付手段によるスキャン設定の開始指示の受け付け後、設定対象の画像処理装置に関し、前記プル型スキャンモードにおいて設定可能な設定項目と、前記プッシュ型スキャンモードにおいて設定可能な設定項目のうち、少なくとも一方のスキャンモードにおいて設定可能な設定項目をユーザーが設定可能に前記表示手段に表示する表示制御手段と、
前記表示手段に表示された設定項目の中からユーザーによって設定された全ての設定項目のスキャン設定を、前記プル型スキャンモードまたはプッシュ型スキャンモードで実行可能かどうかを判定する判定手段と、
前記判定手段により、前記プル型スキャンモードまたはプッシュ型スキャンモードのいずれか一方のモードでのみ、ユーザーによって設定された全ての設定項目のスキャン設定を実行可能であると判定された場合、実行可能と判定されたスキャンモードを使用するスキャンモードとして決定し、決定したスキャンモードに応じた動作を実行する実行手段と、
を備えたことを特徴とする携帯端末装置。
【請求項２】
前記開始指示受付手段によりスキャン設定の開始指示が受け付けられたことを契機として、前記プッシュ型スキャンモードにおいて設定可能な設定項目を前記画像処理装置から取得する取得手段を備え、
前記表示制御手段は、前記取得手段により取得された設定項目を用いて、少なくとも一方のスキャンモードにおいて設定可能な設定項目を前記表示手段に表示する請求項１に記載の携帯端末装置。
【請求項３】
前記実行手段は、実行可能と判定されたスキャンモードがプッシュ型スキャンモードである場合、スキャン設定情報と共にスキャンデータの送信先である携帯端末装置の宛先情報を前記画像処理装置に送信して登録させる請求項１または２に記載の携帯端末装置。
【請求項４】
前記スキャン設定情報と携帯端末装置の宛先情報とを、プログラム宛先として一括で前記画像処理装置に登録させる請求項３に記載の携帯端末装置。
【請求項５】
前記判定手段により、前記プル型スキャンモードまたはプッシュ型スキャンモードのいずれのモードによっても、ユーザーによって設定された全ての設定項目のスキャン設定を実行可能であると判定された場合、前記実行手段は、予め定められた条件に従って使用するスキャンモードを決定する請求項１〜４のいずれかに記載の携帯端末装置。
【請求項６】
前記実行手段は、前記プル型スキャンモードまたはプッシュ型スキャンモードのうち、スキャンモードの終了までにユーザーに必要とされる操作ステップ数の少ない方のスキャンモードを使用するスキャンモードとして決定する請求項５に記載の携帯端末装置。
【請求項７】
複数の画像処理装置の中から設定対象の画像処理装置を選択する選択手段を備え、
前記選択手段により選択された画像処理装置が、プル型スキャンモードに対応しておらず、かつスキャンデータの送信先である携帯端末装置の宛先情報が前記画像処理装置に送信されたときに該宛先情報を登録する、プッシュ型スキャンモードのための宛先登録機能もない画像処理装置の場合には、前記表示制御手段は、画像処理装置側でスキャンデータの送信宛先の設定を含むスキャン開始処理をユーザーに促す画面を前記表示手段に表示させる請求項１〜６のいずれかに記載の携帯端末装置。
【請求項８】
前記実行手段は、実行可能と判定されたスキャンモードがプッシュ型スキャンモードである場合、スキャン設定情報と、スキャンデータの送信先である携帯端末装置の宛先情報と、画像処理装置でスキャンを開始させるためのスキャン開始情報とを画像処理装置に送信する請求項１〜７のいずれかに記載の携帯端末装置。
【請求項９】
前記プッシュ型スキャンモードにおいてのみ設定可能な設定項目には、スキャンデータからファイルを作成する処理に関連する設定項目が含まれている請求項１〜８のいずれかに記載の携帯端末装置。
【請求項１０】
ファイルを作成する処理に関連する設定項目は、文字認識処理、暗号化処理、翻訳処理の少なくともいずれかについての設定項目である請求項９に記載の携帯端末装置。
【請求項１１】
前記表示制御手段は、前記プル型スキャンモードにおいて設定可能な設定項目と、前記プッシュ型スキャンモードにおいて設定可能な設定項目のうち、少なくとも一方のスキャンモードにおいて設定可能な設定項目を、種類に応じて入れ替えて前記表示手段に表示する請求項１〜１０のいずれかに記載の携帯端末装置。
【請求項１２】
携帯端末装置が主導して画像処理装置にスキャン動作を実行させ、得られたスキャンデータを携帯端末装置へ送信させるプル型スキャンモードにおいて設定可能な設定項目と、前記画像処理装置が主導してスキャン動作を実行し、得られたスキャンデータを携帯端末装置に送信してもらうプッシュ型スキャンモードの両方に対応可能な携帯端末装置と、少なくとも一台の画像処理装置とを備えたスキャンモード決定システムであって、
前記携帯端末装置は、
表示手段と、
前記開始指示受付手段によるスキャン設定の開始指示の受け付け後、設定対象の画像処理装置に関し、前記プル型スキャンモードにおいて設定可能な設定項目と、前記プッシュ型スキャンモードにおいて設定可能な設定項目のうち、少なくとも一方のスキャンモードにおいて設定可能な設定項目をユーザーが設定可能に前記表示手段に表示する表示制御手段と、
前記表示手段に表示された設定項目の中からユーザーによって設定された全ての設定項目のスキャン設定を、前記プル型スキャンモードまたはプッシュ型スキャンモードで実行可能かどうかを判定する判定手段と、
前記判定手段により、前記プル型スキャンモードまたはプッシュ型スキャンモードのいずれか一方のモードでのみ、ユーザーによって設定された全ての設定項目のスキャン設定を実行可能であると判定された場合、実行可能と判定されたスキャンモードを使用するスキャンモードとして決定し、決定したスキャンモードに応じた動作を実行する実行手段と、
を備え、
前記画像処理装置は、
前記実行手段により送信されたスキャン設定情報を受信する受信手段と、
前記携帯端末装置で決定されたスキャンモード及び前記受信手段により受信したスキャン設定情報に従って、原稿を読み取る読み取り手段と、
読み取り手段による原稿の読み取りによって得られたスキャンデータを、前記携帯端末装置に送信する送信手段と、
を備えたことを特徴とするスキャンモード決定システム。
【請求項１３】
前記実行手段は、実行可能と判定されたスキャンモードがプッシュ型スキャンモードである場合、スキャン設定情報と共にスキャンデータの送信先である携帯端末装置の宛先情報とを前記画像処理装置に送信し、
前記画像処理装置は、前記受信手段により受信したスキャン設定情報と宛先情報を登録する登録手段と、ユーザーによるスキャン開始操作を受け付ける開始操作受付手段と、をさらに備え、開始操作受付手段によりスキャン開始操作を受け付けた場合、前記読み取り手段は前記登録手段により登録されたスキャン設定情報に従って原稿を読み取り、前記送信手段は、スキャンデータを前記登録手段により登録された宛先情報で示される宛先に送信する請求項１２に記載のスキャンモード決定システム。
【請求項１４】
画像処理装置の前記登録手段は、前記スキャン設定情報と携帯端末装置の宛先情報とを、プログラム宛先として一括で登録する請求項１２に記載のスキャンモード決定システム。
【請求項１５】
携帯端末装置の前記実行手段は、実行可能と判定されたスキャンモードがプッシュ型スキャンモードである場合、スキャン設定情報と、スキャンデータの送信先である携帯端末装置の宛先情報と、画像処理装置でスキャンを開始させるためのスキャン開始情報とを画像処理装置に送信し、
画像処理装置の前記読み取り手段は、携帯端末装置から送信された前記スキャン開始情報に基づいて原稿の読み取りを開始するとともに、前記スキャン設定情報に従って原稿を読み取り、前記送信手段はスキャンデータを前記宛先情報で示される宛先に送信する請求項１２〜１４のいずれかに記載のスキャンモード決定システム。
【請求項１６】
携帯端末装置が主導して画像処理装置にスキャン動作を実行させ、得られたスキャンデータを携帯端末装置へ送信させるプル型スキャンモードにおいて設定可能な設定項目と、前記画像処理装置が主導してスキャン動作を実行し、得られたスキャンデータを携帯端末装置に送信してもらうプッシュ型スキャンモードの両方に対応可能な携帯端末装置と、少なくとも一台の画像処理装置とを備えたスキャンジョブ実行システムで実行されるスキャンモード決定方法であって、
前記携帯端末装置は、
ユーザーによるスキャン設定の開始指示を受け付ける開始指示受付ステップと、
前記開始指示受付ステップによるスキャン設定の開始指示の受け付け後、設定対象の画像処理装置に関し、携帯端末装置が主導して画像処理装置にスキャン動作を実行させ、得られたスキャンデータを携帯端末装置へ送信させるプル型スキャンモードにおいて設定可能な設定項目と、前記画像処理装置が主導してスキャン動作を実行し、得られたスキャンデータを携帯端末装置に送信してもらうプッシュ型スキャンモードにおいて設定可能な設定項目のうち、少なくとも一方のスキャンモードにおいて設定可能な設定項目をユーザーが設定可能に前記表示手段に表示する表示制御ステップと、
前記表示手段に表示された設定項目の中からユーザーによって設定された全ての設定項目のスキャン設定を、前記プル型スキャンモードまたはプッシュ型スキャンモードで実行可能かどうかを判定する判定ステップと、
前記判定ステップにより、前記プル型スキャンモードまたはプッシュ型スキャンモードのいずれか一方のモードでのみ、ユーザーによって設定された全ての設定項目のスキャン設定を実行可能であると判定された場合、実行可能と判定されたスキャンモードを使用するスキャンモードとして決定し、決定したスキャンモードに応じた動作を実行する実行ステップと、
を実行し、
前記画像処理装置は、
前記実行ステップにより送信されたスキャン設定情報を受信する受信ステップと、
前記携帯端末装置で決定されたスキャンモード及び前記受信ステップにより受信したスキャン設定情報に従って、原稿を読み取る読み取りステップと、
読み取りステップによる原稿の読み取りによって得られたスキャンデータを、前記携帯端末装置に送信する送信ステップと、
を実行することを特徴とするスキャンモード決定方法。
【請求項１７】
携帯端末装置が主導して画像処理装置にスキャン動作を実行させ、得られたスキャンデータを携帯端末装置へ送信させるプル型スキャンモードにおいて設定可能な設定項目と、前記画像処理装置が主導してスキャン動作を実行し、得られたスキャンデータを携帯端末装置に送信してもらうプッシュ型スキャンモードの両方に対応可能な携帯端末装置のコンピュータに、
ユーザーによるスキャン設定の開始指示を受け付ける開始指示受付ステップと、
前記開始指示受付ステップによるスキャン設定の開始指示の受け付け後、設定対象の画像処理装置に関し、前記プル型スキャンモードにおいて設定可能な設定項目と、前記プッシュ型スキャンモードにおいて設定可能な設定項目のうち、少なくとも一方のスキャンモードにおいて設定可能な設定項目をユーザーが設定可能に前記表示手段に表示する表示制御ステップと、
前記表示手段に表示された設定項目の中からユーザーによって設定された全ての設定項目のスキャン設定を、前記プル型スキャンモードまたはプッシュ型スキャンモードで実行可能かどうかを判定する判定ステップと、
前記判定ステップにより、前記プル型スキャンモードまたはプッシュ型スキャンモードのいずれか一方のモードでのみ、ユーザーによって設定された全ての設定項目のスキャン設定を実行可能であると判定された場合、実行可能と判定されたスキャンモードを使用するスキャンモードとして決定し、決定したスキャンモードに応じた動作を実行する実行ステップと、
を携帯端末装置のコンピュータに実行させるためのスキャンモード決定プログラム。
【請求項１８】
前記開始指示受付ステップによりスキャン設定の開始指示が受け付けられたことを契機として、前記プッシュ型スキャンモードにおいて設定可能な設定項目を前記画像処理装置から取得する取得ステップを前記コンピュータに実行させ、
前記表示制御ステップでは、前記取得ステップにより取得された設定項目を用いて、少なくとも一方のスキャンモードにおいて設定可能な設定項目を前記表示手段に表示する処理を前記コンピュータに実行させる請求項１７に記載のスキャンモード決定プログラム。
【請求項１９】
前記実行ステップでは、実行可能と判定されたスキャンモードがプッシュ型スキャンモードである場合、スキャン設定情報と共にスキャンデータの送信先である携帯端末装置の宛先情報を前記画像処理装置に送信して登録させる処理を前記コンピュータに実行させる請求項１７または１８に記載のスキャンモード決定プログラム。
【請求項２０】
前記スキャン設定情報と携帯端末装置の宛先情報とを、プログラム宛先として一括で登録させる処理を前記コンピュータに実行させる請求項１９に記載のスキャンモード決定プログラム。
【請求項２１】
前記判定ステップにより、前記プル型スキャンモードまたはプッシュ型スキャンモードのいずれのモードによっても、ユーザーによって設定された全ての設定項目のスキャン設定を実行可能であると判定された場合、前記実行ステップでは、予め定められた条件に従って使用するスキャンモードを決定する処理を前記コンピュータに実行させる請求項１７〜２０のいずれかに記載のスキャンモード決定プログラム。
【請求項２２】
前記実行ステップでは、前記プル型スキャンモードまたはプッシュ型スキャンモードのうち、スキャンモードの終了までにユーザーに必要とされる操作ステップ数の少ない方のスキャンモードを使用するスキャンモードとして決定する処理を前記コンピュータに実行させる請求項２１に記載のスキャンモード決定プログラム。
【請求項２３】
複数の画像処理装置の中から設定対象の画像処理装置を選択する選択ステップをさらに前記コンピュータに実行させ、
前記選択ステップにより選択された画像処理装置が、プル型スキャンモードに対応しておらず、かつスキャンデータの送信先である携帯端末装置の宛先情報が前記画像処理装置に送信されたときに該宛先情報を登録する、プッシュ型スキャンモードのための宛先登録機能もない画像処理装置の場合には、前記表示制御ステップでは、画像処理装置側でスキャンデータの送信宛先の設定を含むスキャン開始処理をユーザーに促す画面を前記表示手段に表示させる処理を前記コンピュータに実行させる請求項１７〜２２のいずれかに記載のスキャンモード決定プログラム。
【請求項２４】
前記実行ステップでは、実行可能と判定されたスキャンモードがプッシュ型スキャンモードである場合、スキャン設定情報と、スキャンデータの送信先である携帯端末装置の宛先情報と、画像処理装置でスキャンを開始させるためのスキャン開始情報とを画像処理装置に送信する処理を前記コンピュータに実行させる請求項１７〜２３のいずれかに記載のスキャンモード決定プログラム。
【請求項２５】
前記プッシュ型スキャンモードにおいてのみ設定可能な設定項目には、スキャンデータからファイルを作成する処理に関連する設定項目が含まれている請求項１７〜２４のいずれかに記載のスキャンモード決定プログラム。
【請求項２６】
ファイルを作成する処理に関連する設定項目は、文字認識処理、暗号化処理、翻訳処理の少なくとも何れかについての設定項目である請求項２５に記載のスキャンモード決定プログラム。
【請求項２７】
前記表示制御ステップでは、前記プル型スキャンモードにおいて設定可能な設定項目と、前記プッシュ型スキャンモードにおいて設定可能な設定項目のうち、少なくとも一方のスキャンモードにおいて設定可能な設定項目を、種類に応じて入れ替えて前記表示手段に表示する処理を前記コンピュータに実行させる請求項１７〜２６のいずれかに記載のスキャンモード決定プログラム。
【発明の詳細な説明】
【技術分野】
【０００１】
この発明は、スマートフォン、タブレット端末等の携帯端末装置、該携帯端末装置が用いられたスキャンモード決定システム、スキャンモード決定方法及びスキャンモード決定プログラムに関する。
【背景技術】
【０００２】
近年、携帯端末装置に画像処理装置操作用アプリケーションを搭載し、携帯端末装置から画像処理装置に、原稿を読み取って読み取りデータを携帯端末装置へ送信するスキャンジョブを指示できる携帯端末装置が提供されている。
【０００３】
スキャンジョブを画像処理装置に指示するモードとして、プル型スキャンモードとプッシュ型スキャンモードが知られている。プル型スキャンモードは、TCP-Socket<TWAIN>インターフェースを使用したスキャンモードであり、携帯端末装置が主導して画像処理装置にスキャン動作を実行させ、得られたスキャンデータを携帯端末装置へ送信させる方式である。一方、プッシュ型スキャンモードは、携帯端末装置がWebDAVサーバーになり、画像処理装置が主導してスキャン動作を実行し、得られたスキャンデータを携帯端末装置に送信してもらう方式である。特にプル型スキャンモードでは予め決められたインターフェースで画像処理装置との通信を行うため、携帯端末装置でスキャン設定が可能な設定項目もプッシュ型スキャンモードに較べて制限されることから、２つのモードではスキャン設定が可能な設定項目の種類が相違している。
【０００４】
最近では、このようなプル型スキャンモードとプッシュ型スキャンモードの２つのモードのいずれにも対応できるアプリケーションが搭載された携帯端末装置が提供されている。
【０００５】
しかし、従来では、プル型スキャンモードとプッシュ型スキャンモードの何れかをユーザーが選択しなければならず、ユーザーにとってはどちらのモードを選択したら良いかの判断が容易でなく、使い勝手が良くなかった。
【０００６】
なお、特許文献１には、プルスキャンで設定した読み取り条件をプッシュスキャンで使用する画像読み取りシステムが提案されている。具体的には、画像読み取りシステムは、端末装置から送信される読み取り指令を受けた場合、予め設定された読み取り条件に基づき原稿の読み取りを行い、読み取った原稿の画像データを端末装置に対して送信するプルスキャン機能部と、読み取り条件を記憶する記憶部と、送信先とする端末装置が設定され、原稿の読み取り操作が指示された場合、記憶部に記憶された読み取り条件の中から選択された読み取り条件に基づいて原稿の読み取りを行い、読み取った原稿の画像データを端末装置に対して送信するプッシュスキャン機能部と、を備えている。
【０００７】
また特許文献２には、Ｐｕｌｌ型のスキャンに特化した配信先に対して、Ｐｕｓｈ型のスキャンに特化した操作にて対応可能な画像処理装置及びスキャンデータ配信方法が提案されている。具体的には、スキャナ部を有する画像処理装置であって、スキャナ部によってスキャンされたスキャンデータを記憶手段に記憶して管理するスキャンデータ管理手段と、スキャン動作を制御し、スキャナ部によるスキャン動作が終了した後、スキャンデータの配信先に準備完了を通知するスキャナ制御手段と、スキャンデータ管理手段により記憶手段から読み出されたスキャンデータをバッファ手段に記憶し、配信先からのスキャンデータ要求に応じてバッファ手段に記憶されているスキャンデータを配信先に配信する待ち合わせ処理手段とを有するというものである。
【先行技術文献】
【特許文献】
【０００８】
【特許文献１】特開２０１１−９１５３１号公報
【特許文献２】特開２００９−１３５５７５号公報
【発明の概要】
【発明が解決しようとする課題】
【０００９】
しかしながら、上記特許文献１及び２には、プル型スキャンモードとプッシュ型スキャンモードを有する携帯端末装置に関する技術は開示されておらず、従って、プル型スキャンモードとプッシュ型スキャンモードの両方に対応できる携帯端末装置から、画像処理装置に対してスキャン設定を行う場合に、ユーザーにとってはどちらのモードを選択したら良いかの判断が容易でなく、使い勝手が良くないという問題に対して、解決策を提供しうるものではなかった。
【００１０】
この発明は、このような技術的背景に鑑みてなされたものであって、プル型スキャンモードとプッシュ型スキャンモードの両方に対応できる携帯端末装置であって、ユーザーがどちらのモードを選択したら良いかを判断する必要を無くした使い勝手の良い携帯端末装置を提供し、さらにはこの端末装置が用いられたスキャンモード決定システム、スキャンモード決定方法及びスキャンモード決定プログラムを提供することを課題とする。
【課題を解決するための手段】
【００１１】
上記課題は、以下の手段によって解決される。
（１）携帯端末装置が主導して画像処理装置にスキャン動作を実行させ、得られたスキャンデータを携帯端末装置へ送信させるプル型スキャンモードにおいて設定可能な設定項目と、前記画像処理装置が主導してスキャン動作を実行し、得られたスキャンデータを携帯端末装置に送信してもらうプッシュ型スキャンモードの両方に対応可能な携帯端末装置であって、表示手段と、ユーザーによるスキャン設定の開始指示を受け付ける開始指示受付手段と、前記開始指示受付手段によるスキャン設定の開始指示の受け付け後、設定対象の画像処理装置に関し、前記プル型スキャンモードにおいて設定可能な設定項目と、前記プッシュ型スキャンモードにおいて設定可能な設定項目のうち、少なくとも一方のスキャンモードにおいて設定可能な設定項目をユーザーが設定可能に前記表示手段に表示する表示制御手段と、前記表示手段に表示された設定項目の中からユーザーによって設定された全ての設定項目のスキャン設定を、前記プル型スキャンモードまたはプッシュ型スキャンモードで実行可能かどうかを判定する判定手段と、前記判定手段により、前記プル型スキャンモードまたはプッシュ型スキャンモードのいずれか一方のモードでのみ、ユーザーによって設定された全ての設定項目のスキャン設定を実行可能であると判定された場合、実行可能と判定されたスキャンモードを使用するスキャンモードとして決定し、決定したスキャンモードに応じた動作を実行する実行手段と、を備えたことを特徴とする携帯端末装置。
（２）前記開始指示受付手段によりスキャン設定の開始指示が受け付けられたことを契機として、前記プッシュ型スキャンモードにおいて設定可能な設定項目を前記画像処理装置から取得する取得手段を備え、前記表示制御手段は、前記取得手段により取得された設定項目を用いて、少なくとも一方のスキャンモードにおいて設定可能な設定項目を前記表示手段に表示する前項１に記載の携帯端末装置。
（３）前記実行手段は、実行可能と判定されたスキャンモードがプッシュ型スキャンモードである場合、スキャン設定情報と共にスキャンデータの送信先である携帯端末装置の宛先情報を前記画像処理装置に送信して登録させる前項１または２に記載の携帯端末装置。
（４）前記スキャン設定情報と携帯端末装置の宛先情報とを、プログラム宛先として一括で前記画像処理装置に登録させる前項３に記載の携帯端末装置。
（５）前記判定手段により、前記プル型スキャンモードまたはプッシュ型スキャンモードのいずれのモードによっても、ユーザーによって設定された全ての設定項目のスキャン設定を実行可能であると判定された場合、前記実行手段は、予め定められた条件に従って使用するスキャンモードを決定する前項１〜４のいずれかに記載の携帯端末装置。
（６）前記実行手段は、前記プル型スキャンモードまたはプッシュ型スキャンモードのうち、スキャンモードの終了までにユーザーに必要とされる操作ステップ数の少ない方のスキャンモードを使用するスキャンモードとして決定する前項５に記載の携帯端末装置。
（７）複数の画像処理装置の中から設定対象の画像処理装置を選択する選択手段を備え、前記選択手段により選択された画像処理装置が、プル型スキャンモードに対応しておらず、かつスキャンデータの送信先である携帯端末装置の宛先情報が前記画像処理装置に送信されたときに該宛先情報を登録する、プッシュ型スキャンモードのための宛先登録機能もない画像処理装置の場合には、前記表示制御手段は、画像処理装置側でスキャンデータの送信宛先の設定を含むスキャン開始処理をユーザーに促す画面を前記表示手段に表示させる前項１〜６のいずれかに記載の携帯端末装置。
（８）前記実行手段は、実行可能と判定されたスキャンモードがプッシュ型スキャンモードである場合、スキャン設定情報と、スキャンデータの送信先である携帯端末装置の宛先情報と、画像処理装置でスキャンを開始させるためのスキャン開始情報とを画像処理装置に送信する前項１〜７のいずれかに記載の携帯端末装置。
（９）前記プッシュ型スキャンモードにおいてのみ設定可能な設定項目には、スキャンデータからファイルを作成する処理に関連する設定項目が含まれている前項１〜８のいずれかに記載の携帯端末装置。
（１０）ファイルを作成する処理に関連する設定項目は、文字認識処理、暗号化処理、翻訳処理の少なくともいずれかについての設定項目である前項９に記載の携帯端末装置。
（１１）前記表示制御手段は、前記プル型スキャンモードにおいて設定可能な設定項目と、前記プッシュ型スキャンモードにおいて設定可能な設定項目のうち、少なくとも一方のスキャンモードにおいて設定可能な設定項目を、種類に応じて入れ替えて前記表示手段に表示する前項１〜１０のいずれかに記載の携帯端末装置。
（１２）携帯端末装置が主導して画像処理装置にスキャン動作を実行させ、得られたスキャンデータを携帯端末装置へ送信させるプル型スキャンモードにおいて設定可能な設定項目と、前記画像処理装置が主導してスキャン動作を実行し、得られたスキャンデータを携帯端末装置に送信してもらうプッシュ型スキャンモードの両方に対応可能な携帯端末装置と、少なくとも一台の画像処理装置とを備えたスキャンモード決定システムであって、前記携帯端末装置は、表示手段と、前記開始指示受付手段によるスキャン設定の開始指示の受け付け後、設定対象の画像処理装置に関し、前記プル型スキャンモードにおいて設定可能な設定項目と、前記プッシュ型スキャンモードにおいて設定可能な設定項目のうち、少なくとも一方のスキャンモードにおいて設定可能な設定項目をユーザーが設定可能に前記表示手段に表示する表示制御手段と、前記表示手段に表示された設定項目の中からユーザーによって設定された全ての設定項目のスキャン設定を、前記プル型スキャンモードまたはプッシュ型スキャンモードで実行可能かどうかを判定する判定手段と、前記判定手段により、前記プル型スキャンモードまたはプッシュ型スキャンモードのいずれか一方のモードでのみ、ユーザーによって設定された全ての設定項目のスキャン設定を実行可能であると判定された場合、実行可能と判定されたスキャンモードを使用するスキャンモードとして決定し、決定したスキャンモードに応じた動作を実行する実行手段と、を備え、前記画像処理装置は、前記実行手段により送信されたスキャン設定情報を受信する受信手段と、前記携帯端末装置で決定されたスキャンモード及び前記受信手段により受信したスキャン設定情報に従って、原稿を読み取る読み取り手段と、読み取り手段による原稿の読み取りによって得られたスキャンデータを、前記携帯端末装置に送信する送信手段と、を備えたことを特徴とするスキャンモード決定システム。
（１３）前記実行手段は、実行可能と判定されたスキャンモードがプッシュ型スキャンモードである場合、スキャン設定情報と共にスキャンデータの送信先である携帯端末装置の宛先情報とを前記画像処理装置に送信し、前記画像処理装置は、前記受信手段により受信したスキャン設定情報と宛先情報を登録する登録手段と、ユーザーによるスキャン開始操作を受け付ける開始操作受付手段と、をさらに備え、開始操作受付手段によりスキャン開始操作を受け付けた場合、前記読み取り手段は前記登録手段により登録されたスキャン設定情報に従って原稿を読み取り、前記送信手段は、スキャンデータを前記登録手段により登録された宛先情報で示される宛先に送信する前項１２に記載のスキャンモード決定システム。
（１４）画像処理装置の前記登録手段は、前記スキャン設定情報と携帯端末装置の宛先情報とを、プログラム宛先として一括で登録する前項１２に記載のスキャンモード決定システム。
（１５）携帯端末装置の前記実行手段は、実行可能と判定されたスキャンモードがプッシュ型スキャンモードである場合、スキャン設定情報と、スキャンデータの送信先である携帯端末装置の宛先情報と、画像処理装置でスキャンを開始させるためのスキャン開始情報とを画像処理装置に送信し、画像処理装置の前記読み取り手段は、携帯端末装置から送信された前記スキャン開始情報に基づいて原稿の読み取りを開始するとともに、前記スキャン設定情報に従って原稿を読み取り、前記送信手段はスキャンデータを前記宛先情報で示される宛先に送信する前項１２〜１４のいずれかに記載のスキャンモード決定システム。
（１６）携帯端末装置が主導して画像処理装置にスキャン動作を実行させ、得られたスキャンデータを携帯端末装置へ送信させるプル型スキャンモードにおいて設定可能な設定項目と、前記画像処理装置が主導してスキャン動作を実行し、得られたスキャンデータを携帯端末装置に送信してもらうプッシュ型スキャンモードの両方に対応可能な携帯端末装置と、少なくとも一台の画像処理装置とを備えたスキャンジョブ実行システムで実行されるスキャンモード決定方法であって、前記携帯端末装置は、ユーザーによるスキャン設定の開始指示を受け付ける開始指示受付ステップと、前記開始指示受付ステップによるスキャン設定の開始指示の受け付け後、設定対象の画像処理装置に関し、携帯端末装置が主導して画像処理装置にスキャン動作を実行させ、得られたスキャンデータを携帯端末装置へ送信させるプル型スキャンモードにおいて設定可能な設定項目と、前記画像処理装置が主導してスキャン動作を実行し、得られたスキャンデータを携帯端末装置に送信してもらうプッシュ型スキャンモードにおいて設定可能な設定項目のうち、少なくとも一方のスキャンモードにおいて設定可能な設定項目をユーザーが設定可能に前記表示手段に表示する表示制御ステップと、前記表示手段に表示された設定項目の中からユーザーによって設定された全ての設定項目のスキャン設定を、前記プル型スキャンモードまたはプッシュ型スキャンモードで実行可能かどうかを判定する判定ステップと、前記判定ステップにより、前記プル型スキャンモードまたはプッシュ型スキャンモードのいずれか一方のモードでのみ、ユーザーによって設定された全ての設定項目のスキャン設定を実行可能であると判定された場合、実行可能と判定されたスキャンモードを使用するスキャンモードとして決定し、決定したスキャンモードに応じた動作を実行する実行ステップと、を実行し、前記画像処理装置は、前記実行ステップにより送信されたスキャン設定情報を受信する受信ステップと、前記携帯端末装置で決定されたスキャンモード及び前記受信ステップにより受信したスキャン設定情報に従って、原稿を読み取る読み取りステップと、読み取りステップによる原稿の読み取りによって得られたスキャンデータを、前記携帯端末装置に送信する送信ステップと、を実行することを特徴とするスキャンモード決定方法。
（１７）携帯端末装置が主導して画像処理装置にスキャン動作を実行させ、得られたスキャンデータを携帯端末装置へ送信させるプル型スキャンモードにおいて設定可能な設定項目と、前記画像処理装置が主導してスキャン動作を実行し、得られたスキャンデータを携帯端末装置に送信してもらうプッシュ型スキャンモードの両方に対応可能な携帯端末装置のコンピュータに、ユーザーによるスキャン設定の開始指示を受け付ける開始指示受付ステップと、前記開始指示受付ステップによるスキャン設定の開始指示の受け付け後、設定対象の画像処理装置に関し、前記プル型スキャンモードにおいて設定可能な設定項目と、前記プッシュ型スキャンモードにおいて設定可能な設定項目のうち、少なくとも一方のスキャンモードにおいて設定可能な設定項目をユーザーが設定可能に前記表示手段に表示する表示制御ステップと、前記表示手段に表示された設定項目の中からユーザーによって設定された全ての設定項目のスキャン設定を、前記プル型スキャンモードまたはプッシュ型スキャンモードで実行可能かどうかを判定する判定ステップと、前記判定ステップにより、前記プル型スキャンモードまたはプッシュ型スキャンモードのいずれか一方のモードでのみ、ユーザーによって設定された全ての設定項目のスキャン設定を実行可能であると判定された場合、実行可能と判定されたスキャンモードを使用するスキャンモードとして決定し、決定したスキャンモードに応じた動作を実行する実行ステップと、を携帯端末装置のコンピュータに実行させるためのスキャンモード決定プログラム。
（１８）前記開始指示受付ステップによりスキャン設定の開始指示が受け付けられたことを契機として、前記プッシュ型スキャンモードにおいて設定可能な設定項目を前記画像処理装置から取得する取得ステップを前記コンピュータに実行させ、前記表示制御ステップでは、前記取得ステップにより取得された設定項目を用いて、少なくとも一方のスキャンモードにおいて設定可能な設定項目を前記表示手段に表示する処理を前記コンピュータに実行させる前項１７に記載のスキャンモード決定プログラム。
（１９）前記実行ステップでは、実行可能と判定されたスキャンモードがプッシュ型スキャンモードである場合、スキャン設定情報と共にスキャンデータの送信先である携帯端末装置の宛先情報を前記画像処理装置に送信して登録させる処理を前記コンピュータに実行させる前項１７または１８に記載のスキャンモード決定プログラム。
（２０）前記スキャン設定情報と携帯端末装置の宛先情報とを、プログラム宛先として一括で登録させる処理を前記コンピュータに実行させる前項１９に記載のスキャンモード決定プログラム。
（２１）前記判定ステップにより、前記プル型スキャンモードまたはプッシュ型スキャンモードのいずれのモードによっても、ユーザーによって設定された全ての設定項目のスキャン設定を実行可能であると判定された場合、前記実行ステップでは、予め定められた条件に従って使用するスキャンモードを決定する処理を前記コンピュータに実行させる前項１７〜２０のいずれかに記載のスキャンモード決定プログラム。
（２２）前記実行ステップでは、前記プル型スキャンモードまたはプッシュ型スキャンモードのうち、スキャンモードの終了までにユーザーに必要とされる操作ステップ数の少ない方のスキャンモードを使用するスキャンモードとして決定する処理を前記コンピュータに実行させる前項２１に記載のスキャンモード決定プログラム。
（２３）複数の画像処理装置の中から設定対象の画像処理装置を選択する選択ステップをさらに前記コンピュータに実行させ、前記選択ステップにより選択された画像処理装置が、プル型スキャンモードに対応しておらず、かつスキャンデータの送信先である携帯端末装置の宛先情報が前記画像処理装置に送信されたときに該宛先情報を登録する、プッシュ型スキャンモードのための宛先登録機能もない画像処理装置の場合には、前記表示制御ステップでは、画像処理装置側でスキャンデータの送信宛先の設定を含むスキャン開始処理をユーザーに促す画面を前記表示手段に表示させる処理を前記コンピュータに実行させる前項１７〜２２のいずれかに記載のスキャンモード決定プログラム。
（２４）前記実行ステップでは、実行可能と判定されたスキャンモードがプッシュ型スキャンモードである場合、スキャン設定情報と、スキャンデータの送信先である携帯端末装置の宛先情報と、画像処理装置でスキャンを開始させるためのスキャン開始情報とを画像処理装置に送信する処理を前記コンピュータに実行させる前項１７〜２３のいずれかに記載のスキャンモード決定プログラム。
（２５）前記プッシュ型スキャンモードにおいてのみ設定可能な設定項目には、スキャンデータからファイルを作成する処理に関連する設定項目が含まれている前項１７〜２４のいずれかに記載のスキャンモード決定プログラム。
（２６）ファイルを作成する処理に関連する設定項目は、文字認識処理、暗号化処理、翻訳処理の少なくとも何れかについての設定項目である前項項２５に記載のスキャンモード決定プログラム。
（２７）前記表示制御ステップでは、前記プル型スキャンモードにおいて設定可能な設定項目と、前記プッシュ型スキャンモードにおいて設定可能な設定項目のうち、少なくとも一方のスキャンモードにおいて設定可能な設定項目を、種類に応じて入れ替えて前記表示手段に表示する処理を前記コンピュータに実行させる前項１７〜２６のいずれかに記載のスキャンモード決定プログラム。
【発明の効果】
【００１２】
前項（１）に記載の発明によれば、ユーザーによるスキャン設定の開始指示の受け付け後、設定対象の画像処理装置に関し、プル型スキャンモードにおいて設定可能な設定項目と、プッシュ型スキャンモードにおいて設定可能な設定項目のうち、少なくとも一方のスキャンモードにおいて設定可能な設定項目がユーザーによって設定可能に表示手段に表示される。そして、表示された設定項目の中からユーザーによって設定された全ての設定項目のスキャン設定を、プル型スキャンモードまたはプッシュ型スキャンモードで実行可能かどうかが判定され、プル型スキャンモードまたはプッシュ型スキャンモードのいずれか一方のモードでのみ、ユーザーによって設定された全ての設定項目のスキャン設定を実行可能であると判定された場合、そのスキャンモードを使用するスキャンモードとして決定し、決定したスキャンモードに応じた動作を実行する。
【００１３】
従って、ユーザーは表示手段に表示されたスキャン設定項目の中から所望の設定項目を設定すれば、２つのスキャンモードのうちいずれのスキャンモードを使用したら良いかが自動的に決定されるから、ユーザーはどちらのモードを選択使用したら良いかを判断する必要はなくなり、使い勝手が良くなる。
【００１４】
前項（２）に記載の発明によれば、スキャン設定の開始指示が受け付けられたことを契機として、プッシュ型スキャンモードにおいて設定可能な設定項目が画像処理装置から取得され、この取得された設定項目を用いて、少なくとも一方のスキャンモードにおいて設定可能な設定項目が表示手段に表示されるから、ユーザーは、プッシュ型スキャンモードにおいて設定可能な最新の設定項目を設定することができる。
【００１５】
前項（３）に記載の発明によれば、実行可能と判定されたスキャンモードがプッシュ型スキャンモードである場合、スキャン設定情報と共にスキャンデータの送信先である携帯端末装置の宛先情報とを画像処理装置に送信して登録させるから、ユーザーによる画像処理装置側でのスキャン指示が容易になる。
【００１６】
前項（４）に記載の発明によれば、スキャン設定情報と携帯端末装置の宛先情報とを、プログラム宛先として画像処理装置に一括で登録させるから、ユーザーによる画像処理装置側でのスキャン指示がさらに容易になる。
【００１７】
前項（５）に記載の発明によれば、プル型スキャンモードまたはプッシュ型スキャンモードのいずれのモードによっても、ユーザーによって設定された全ての設定項目のスキャン設定を実行可能であると判定された場合、予め定められた条件に従って使用するスキャンモードが決定される。
【００１８】
前項（６）に記載の発明によれば、プル型スキャンモードまたはプッシュ型スキャンモードのいずれのモードによっても、ユーザーによって設定された全ての設定項目のスキャン設定を実行可能であると判定された場合、プル型スキャンモードまたはプッシュ型スキャンモードのうち、スキャンモードの終了までにユーザーに必要とされる操作ステップ数の少ない方のスキャンモードが使用するスキャンモードとして決定されるから、ユーザーは操作が簡易なスキャンモードを使用することができる。
【００１９】
前項（７）に記載の発明によれば、複数の画像処理装置の中から設定対象として選択された画像処理装置が、プル型スキャンモードに対応しておらず、かつプッシュ型スキャンモードのための宛先登録機能もない画像処理装置の場合には、画像処理装置側でスキャンデータの送信宛先の設定を含むスキャン開始処理を促す画面が前記表示手段に表示されるから、ユーザーは画面に従って画像処理装置側で送信宛先の設定を行って、スキャンデータを携帯端末装置に送信することができる。
【００２０】
前項（８）に記載の発明によれば、実行可能と判定されたスキャンモードがプッシュ型スキャンモードである場合、スキャン設定情報と、スキャンデータの送信先である携帯端末装置の宛先情報と、画像処理装置でスキャンを開始させるためのスキャン開始情報とが画像処理装置に送信されるから、スキャン開始情報に基づいて画像処理装置はスキャンジョブを自動的に開始することができ、ユーザーが画像処理装置側でスキャン設定操作を行う必要はなくなり、便利である。
【００２１】
前項（９）に記載の発明によれば、プッシュ型スキャンモードにおいてのみ設定可能な設定項目として、ユーザーは、スキャンデータからファイルを作成する処理に関連する設定項目を設定することができる。
【００２２】
前項（１０）に記載の発明によれば、プッシュ型スキャンモードにおいてのみ設定可能な設定項目として、ユーザーは、文字認識処理、暗号化処理、翻訳処理の少なくともいずれかについての設定項目を設定することができる。
【００２３】
前項（１１）に記載の発明によれば、プル型スキャンモードにおいて設定可能な設定項目と、プッシュ型スキャンモードにおいて設定可能な設定項目のうち、少なくとも一方のスキャンモードにおいて設定可能な設定項目が、種類に応じて並び替えて表示されるから、ユーザーは設定項目を見易くなり、設定項目の設定を行いやすくなる。
【００２４】
前項（１２）に記載の発明によれば、ユーザーは表示手段に表示されたスキャン設定項目の中から所望の設定項目を設定すれば、プル型スキャンモードとプッシュ型スキャンモードの２つのスキャンモードのうちいずれのスキャンモードを使用したら良いかが自動的に決定されるから、ユーザーはどちらのモードを選択したら良いかを判断する必要はなくなり、使い勝手の良いシステムとなる。
【００２５】
前項（１３）に記載の発明によれば、実行可能と判定されたスキャンモードがプッシュ型スキャンモードである場合、スキャン設定情報と共にスキャンデータの送信先である携帯端末装置の宛先情報とを画像処理装置に送信し、画像処理装置はて登録させるから、ユーザーによる画像処理装置側でのスキャン指示が容易になる。
【００２６】
前項（１４）に記載の発明によれば、画像処理装置は、スキャン設定情報と携帯端末装置の宛先情報とをプログラム宛先として一括で登録するから、ユーザーによる画像処理装置側でのスキャン指示がさらに容易になる。
【００２７】
前項（１５）に記載の発明によれば、画像処理装置はスキャン開始情報に基づいてスキャンジョブを自動的に開始することができる。
【００２８】
前項（１６）に記載の発明によれば、プル型スキャンモードとプッシュ型スキャンモードの２つのスキャンモードのうちいずれのスキャンモードを使用したら良いかが自動的に決定されるから、ユーザーはどちらのモードを選択したら良いかを判断する必要はなくなり、使い勝手を向上することができる。
【００２９】
前項（１７）に記載の発明によれば、プル型スキャンモードとプッシュ型スキャンモードの２つのスキャンモードのうちいずれのスキャンモードを使用したら良いかを自動的に決定する処理を、携帯端末装置のコンピュータに実行させることができる。
【００３０】
前項（１８）に記載の発明によれば、スキャン設定の開始指示が受け付けられたことを契機として、プッシュ型スキャンモードにおいて設定可能な設定項目を画像処理装置から取得し、この取得した設定項目を用いて、少なくとも一方のスキャンモードにおいて設定可能な設定項目を表示手段に表示する処理を、携帯端末装置のコンピュータに実行させることができる。
【００３１】
前項（１９）に記載の発明によれば、実行可能と判定したスキャンモードがプッシュ型スキャンモードである場合、スキャン設定情報と共にスキャンデータの送信先である携帯端末装置の宛先情報とを画像処理装置に送信して登録させる処理を、携帯端末装置のコンピュータに実行させることができる。
【００３２】
前項（２０）に記載の発明によれば、スキャン設定情報と携帯端末装置の宛先情報とを、プログラム宛先として一括で登録させる処理を、携帯端末装置のコンピュータに実行させることができる。
【００３３】
前項（２１）に記載の発明によれば、プル型スキャンモードまたはプッシュ型スキャンモードのいずれのモードによっても、ユーザーによって設定された全ての設定項目のスキャン設定を実行可能であると判定した場合、予め定められた条件に従って使用するスキャンモードを決定する処理を、携帯端末装置のコンピュータに実行させることができる。
【００３４】
前項（２２）に記載の発明によれば、プル型スキャンモードまたはプッシュ型スキャンモードのいずれのモードによっても、ユーザーによって設定された全ての設定項目のスキャン設定を実行可能であると判定した場合、プル型スキャンモードまたはプッシュ型スキャンモードのうち、スキャンモードの終了までにユーザーに必要とされる操作ステップ数の少ない方のスキャンモードを使用するスキャンモードとして決定する処理を、携帯端末装置のコンピュータに実行させることができる。
【００３５】
前項（２３）に記載の発明によれば、複数の画像処理装置の中から設定対象として選択した画像処理装置が、プル型スキャンモードに対応しておらず、かつプッシュ型スキャンモードのための宛先登録機能もない画像処理装置の場合には、画像処理装置側でスキャンデータの送信宛先の設定を含むスキャン開始処理を促す画面を表示手段に表示する処理を、携帯端末装置のコンピュータに実行させることができる。
【００３６】
前項（２４）に記載の発明によれば、実行可能と判定されたスキャンモードがプッシュ型スキャンモードである場合、スキャン設定情報と、スキャンデータの送信先である携帯端末装置の宛先情報と、画像処理装置でスキャンを開始させるためのスキャン開始情報とを画像処理装置に送信する処理を、携帯端末装置のコンピュータに実行させることができる。
【００３７】
前項（２５）に記載の発明によれば、プッシュ型スキャンモードにおいてのみ設定可能な設定項目として、ユーザーは、スキャンデータからファイルを作成する処理に関連する設定項目を設定することができる。
【００３８】
前項（２６）に記載の発明によれば、プッシュ型スキャンモードにおいてのみ設定可能な設定項目として、ユーザーは、文字認識処理、暗号化処理、翻訳処理の少なくともいずれかについての設定項目を設定することができる。
【００３９】
前項（２７）に記載の発明によれば、プル型スキャンモードにおいて設定可能な設定項目と、プッシュ型スキャンモードにおいて設定可能な設定項目のうち、少なくとも一方のスキャンモードにおいて設定可能な設定項目を、種類に応じて入れ替えて表示する処理を、携帯端末装置のコンピュータに実行させることができる。
【図面の簡単な説明】
【００４０】
【図１】この発明の一実施形態に係る携帯端末装置が用いられたスキャンモード決定システムの構成図である。
【図２】携帯端末装置の電気的な構成を示すブロック図である。
【図３】画像処理装置の電気的な構成を示すブロック図である。
【図４】プル型スキャンモードにおいてスキャン設定可能な設定項目を画像処理装置毎にまとめた表である。
【図５】プッシュ型スキャンモードにおいてスキャン設定可能な設定項目を画像処理装置毎にまとめた表である。
【図６】携帯端末装置の表示部に表示されるスキャン設定項目の表示例を示す図である。
【図７】プル型スキャンモードにおける操作ステップ数を示す表である。
【図８】プッシュ型スキャンモードにおける操作ステップ数を示す表である。
【図９】携帯端末装置の動作を示すフローチャートである。
【図１０】携帯端末装置の他の動作を示すフローチャートである。
【発明を実施するための形態】
【００４１】
以下、この発明の実施形態を図面に基づいて説明する。
【００４２】
図１は、この発明の一実施形態に係る携帯端末装置が用いられたスキャンモード決定システムの構成図である。
【００４３】
このスキャンモード決定システムは、スマートフォンやタブレット端末等からなる携帯端末装置１と画像処理装置２等を備え、これらの携帯端末装置１と画像処理装置２は、無線ＬＡＮルータ３、ネットワーク４を介して相互に接続可能となっている。なお、画像処理装置１と携帯端末装置２は無線通信により相互に接続可能でもある。図１中の符号５は、パーソナルコンピュータ等からなる端末装置である。
【００４４】
図２は携帯端末装置１の電気的な構成を示すブロック図である。なお、以下の説明では携帯端末装置を携帯端末とも記す。
【００４５】
携帯端末１は、制御部１００、固定記憶装置１１０、表示部１２０、タッチパネル１３０、ワイヤレスランインターフェース（Wireless LAN Ｉ／Ｆ）１４０および短距離無線インターフェース（短距離無線Ｉ／Ｆ）１５０を備え、互いにシステムバス１６０を介して接続されている。
【００４６】
制御部１００は、ＣＰＵ１０１、ＲＯＭ１０２、ＲＡＭ１０３等を備えている。
【００４７】
ＣＰＵ１０１は、ＲＯＭ１０２や固定記憶装置１１０等に保存されているプログラムを実行することにより、携帯端末１の全体を統括的に制御する。この実施形態では特に、スキャンモードを決定したり、画像処理装置２に対してスキャンの実行等を指示するが、詳細な説明は後述する。
【００４８】
ＲＯＭ１０２は、ＣＰＵ１０１が実行するプログラムやその他のデータを格納する。
【００４９】
ＲＡＭ１０３は、ＣＰＵ１０１がプログラムを実行する際の作業領域となるものであり、プログラムやプログラムを実行する際のデータ等を一時的に保存する。
【００５０】
固定記憶装置１１０は、ハードディスク等からなり、プログラムや各種データ等を保存する。
【００５１】
表示部１２０は、例えば液晶画面からなり、各種の操作画面やメッセージ等を表示するものである。
【００５２】
タッチパネル１３０は、表示部１２０の画面上に形成され、ユーザーのタッチ操作を検出する。
【００５３】
ワイヤレスランインターフェース１４０は、ネットワーク４との無線通信に利用され、短距離無線インターフェース１５０は主にＭＦＰ１との短距離無線通信に利用される。
【００５４】
図３は画像処理装置２の電気的な構成を示すブロック図である。この実施形態では、画像処理装置２として、コピー機能、プリンタ機能、ファクシミリ機能、スキャン機能等の複数の機能を有する多機能デジタル画像形成装置であるＭＦＰ（Multi Function Peripheral）が用いられている。以下、画像処理装置をＭＦＰとも記す。
【００５５】
図３に示すように、ＭＦＰ２は、制御部２００、固定記憶装置２１０、画像読取装置２２０、操作パネル２３０、画像出力装置２４０、プリンタコントローラ２５０及びネットワークインターフェイス（ネットワークＩ/Ｆ）２６０、短距離無線インターフェース２７０、ワイヤレスインターフェース２８０等を備え、互いにシステムバス２７５を介して接続されている。
【００５６】
制御部２００は、ＣＰＵ２０１、ＲＯＭ２０２、Ｓ−ＲＡＭ（Static Random Access Memory）２０３、ＮＶ−ＲＡＭ２０４及び時計ＩＣ２０５等を備えている。
【００５７】
ＣＰＵ２０１は、ＲＯＭ２０２等に保存されている動作プログラムを実行することにより、ＭＦＰ２の全体を統括的に制御する。例えばコピー機能、プリンタ機能、スキャン機能、ファクシミリ機能等を実行可能に制御するほか、特にこの実施形態では、携帯端末１からのスキャン実行指示や、操作パネル２３０から入力されたユーザーによるスキャン実行指示に基づいて、画像読取装置２２０に原稿を読み取らせるとともに、得られたスキャンデータを携帯端末１に送信する等の動作を行うが、詳細な説明は後述する。
【００５８】
ＲＯＭ２０２は、ＣＰＵ２０１が実行するプログラムやその他のデータを格納する。
【００５９】
Ｓ−ＲＡＭ２０３は、ＣＰＵ２０１がプログラムを実行する際の作業領域となるものであり、プログラムやプログラムを実行する際のデータ等を一時的に保存する。
【００６０】
ＮＶ−ＲＡＭ２０４は、バッテリでバックアップされた不揮発メモリであり、印字に係わる各種の設定等を記憶するものである。
【００６１】
時計ＩＣ２０５は、時刻を計時すると共に、内部タイマーとして機能し処理時間の計測等を行う。
【００６２】
固定記憶装置２１０はハードディスク等からなり、プログラムや各種データ等を保存する。
【００６３】
画像読取装置２２０は、スキャナ等を備え、プラテンガラス上にセットされた原稿を走査することによって読み取り、読み取った原稿を画像データに変換する。
【００６４】
操作パネル２３０は、ユーザーが印刷装置１へジョブ等の指示や各種設定を行う際に用いられるものであり、テンキー２３１、スタートキー２３２、ストップキー２３３、表示部２３４及びタッチパネル２３５等を備えている。
【００６５】
テンキー２３１は、種々の設定を行う際に使用されるものであり、スタートキー２３２はスキャン等の開始操作に使用されるものであり、ストップキー２３３は動作を中断する場合等に押下されるものである。
【００６６】
表示部２３４は、例えば液晶表示装置からなりメッセージや各種の操作画面等を表示するものであり、タッチパネル２３５は表示部２３４の画面上に形成され、ユーザーのタッチ操作を検出する。
【００６７】
画像出力装置２４０は、画像読取装置２２０により読み取られた原稿の画像データ、あるいは端末装置５等から送信されたプリントデータを用紙に印刷するものである。
【００６８】
プリンタコントローラ２５０は、ネットワークインターフェース２６０によって受信されたプリントデータから複写画像を生成するものである。
【００６９】
ネットワークインターフェース（ネットワークＩ/Ｆ）２６０は、携帯端末１等との間でデータの送受信を行う通信手段として機能する。
【００７０】
短距離無線インターフェース２７０は主に携帯端末１との短距離無線通信に利用され、ワイヤレスインターフェース（Wireless Ｉ／Ｆ）２８０は、ネットワーク４との無線通信に利用される。なお、短距離無線通信方式としては、たとえばブルートゥース（Bluetooth（登録商標））や赤外線通信方式であるＩｒＤＡ（Infrared Data Association）などがある。
【００７１】
次に、図１に示したスキャンモード決定システムの動作を説明する。
【００７２】
携帯端末１には、ＭＦＰ２にスキャンジョブを実行させるためのスキャンモード設定用アプリケーション（以下、単にアプリケーションともいう）がインストールされている。スキャンモードとしてはプル型スキャンモードとプッシュ型スキャンモードがあり、このアプリケーションはいずれのスキャンモードもサポートしている。
【００７３】
プル型スキャンモードは、TCP-Socket<TWAIN>インターフェースを使用したスキャンモードであり、携帯端末１が主導して、つまり携帯端末１側のスキャン開始キーの操作でＭＦＰ２にスキャン動作を実行させ、得られたスキャンデータを携帯端末１へ送信させる方式である。一方、プッシュ型スキャンモードは、携帯端末１がWebDAVサーバーになり、ＭＦＰ２が主導してスキャン動作を実行し、得られたスキャンデータを携帯端末１のWebDAVサーバーへ送信してもらう方式であり、基本的にはＭＦＰ２の操作パネル２３０からユーザーがスキャン開始操作を行うことでスキャンが開始される。ただし、後述するように全自動スキャンの場合は、ユーザーがＭＦＰ２の操作パネル２３０からスキャン開始操作を行うことなく、スキャンを実行させることも可能である。
【００７４】
このように、プッシュ型スキャンモードはＭＦＰ２が主導で動作を行うため、ＭＦＰ２で設定可能なスキャン設定を、携帯端末１からも同様に設定可能である。これに対し、プル型スキャンモードでは予め決められたインターフェースでＭＦＰ２との通信を行うため、スキャン設定が可能な設定項目はプッシュ型スキャンモードに較べて制限される。
【００７５】
スキャンジョブを実行させたい携帯端末１のユーザーは、携帯端末１の表示部１２０の画面に表示されたメニューから「スキャンモード設定」を選択すると、携帯端末１は、アプリケーションを起動し、無線通信により携帯端末１の近くに存在するＭＦＰ２を検索し、利用可能なＭＦＰ２をリスト表示する。なお、利用可能なＭＦＰ２が予め設定されている場合はそのリストを記憶しておき、リストを呼び出して表示しても良い。
【００７６】
ユーザーが、利用したいＭＦＰ２を選択してＯＫボタンを押すと、携帯端末１はネットワーク４を介して、選択されたＭＦＰ２からスキャン設定可能な設定項目についての情報を取得する。取得した設定項目がそのままプッシュ型スキャンモードにおいてスキャン設定可能な設定項目となる。このように、選択されたＭＦＰ２からスキャン設定可能な設定項目についての情報を取得するから、常時最新のスキャン設定項目を取得することができる。なお、ＭＦＰ２からスキャン設定可能な設定項目についての情報を取得するのではなく、ＭＦＰ２の機種毎に予め携帯端末１に保存しておき、この保存されて設定項目を呼び出して取得しても良い。また、利用するＭＦＰ２が決まっている場合は、ＭＦＰ２のリストを表示して選択させることなく、そのＭＦＰ２についてのスキャン設定項目を取得しても良い。
【００７７】
一方、各ＭＦＰ２について、プル型スキャンモードにおいてスキャン設定可能な設定項目は、予め携帯端末１に保存されており、この設定項目を呼び出して取得する。なお、プル型スキャンモードにおいてスキャン設定可能な設定項目の情報をＭＦＰ２側で保持しておき、ＭＦＰ２が選択されたときにその情報を取得しても良い。
【００７８】
図４は、プル型スキャンモードにおいてスキャン設定可能な設定項目をＭＦＰ毎にまとめた表であり、３台のＭＦＰ−Ａ〜Ｃについて、「カラー／白黒」「解像度」「ファイル形式（ファイルフォーマット）」「暗号化」「ＯＣＲ（文字認識処理）」「翻訳」の各スキャン設定項目が設定可能か否かが示されている。〇印は設定可能であり、・印は設定不可である。
【００７９】
図４の例では、ＭＦＰ−Ａについては、「カラー／白黒」「解像度」「ファイル形式」の各設定項目についてユーザーによる設定が可能であり、「ファイル形式」についてはＪＰＥＧ（Joint Photographic Experts Group）、ＰＤＦ（Portable Document Format）、ＴＩＦＦ（Tagged Image File Format）の各フォーマットの設定が可能となっているが、「暗号化」「ＯＣＲ」「翻訳」の各設定項目については設定不可となっている。ＭＦＰ−Ｂについては、「解像度」「ファイル形式」の各設定項目について設定が可能であり、「ファイル形式」についてはＴＩＦＦの設定が可能となっているが、「カラー／白黒」「暗号化」「ＯＣＲ」「翻訳」の各設定項目については設定不可となっている。ＭＦＰ−Ｃは他社機であり、全ての設定項目が設定不可となっている。
【００８０】
なお、「カラー／白黒」についての設定が不可とはカラーモードでの読み取り設定ができないことを意味し、「解像度」「ファイル形式」についての設定が不可とは、予め設定された解像度の値やファイル形式をユーザーが変更できないことを意味する。
【００８１】
「暗号化」「ＯＣＲ」「翻訳」の各設定項目は、スキャンデータからファイルを作成する処理に関連する設定項目であり、これらはいずれのＭＦＰ２に対してもプル型スキャンモードにおいてスキャン設定できない設定項目である。
【００８２】
図５は、プッシュ型スキャンモードにおいてスキャン設定可能な設定項目をＭＦＰ毎にまとめた表であり、３台のＭＦＰ−Ａ〜Ｃについて、「カラー／白黒」「解像度」「ファイル形式」「暗号化」「ＯＣＲ」「翻訳」の各スキャン設定項目が設定可能か否かが示されている。〇印は設定可能であり、・印は設定不可である。
【００８３】
図５の例では、ＭＦＰ−Ａについては、全ての設定項目について設定が可能であり、「ファイル形式」についてはＪＰＥＧ、ＰＤＦ、ＴＩＦＦの各フォーマットの設定が可能となっている。ＭＦＰ−Ｂについては、「解像度」「ファイル形式」「暗号化」「ＯＣＲ」の各設定項目について設定が可能であり、「ファイル形式」についてはＴＩＦＦの設定が可能となっているが、「カラー／白黒」「翻訳」の設定項目については設定不可となっている。ＭＦＰ−Ｃについては全ての設定項目について設定が可能であり、「ファイル形式」についてはＪＰＥＧ、ＰＤＦの各フォーマットの設定が可能となっている。
【００８４】
携帯端末１のアプリケーションは、こうして取得したプル型スキャンモードにおいてスキャン設定可能な設定項目と、プッシュ型スキャンモードにおいてスキャン設定可能な設定項目を比較し、少なくとも一方のスキャンモードにおいて設定可能な設定項目を抽出する。
【００８５】
例えば、ユーザーが使用したいＭＦＰ２としてＭＦＰ−Ａを選択した場合、「カラー／白黒」「解像度」「ファイル形式」「暗号化」「ＯＣＲ」「翻訳」の各スキャン設定項目が抽出される。ＭＦＰ−Ｂを選択した場合、「解像度」「ファイル形式」「暗号化」「ＯＣＲ」の各スキャン設定項目が抽出され、ＭＦＰ−Ｃを選択した場合、「カラー／白黒」「解像度」「ファイル形式」「暗号化」「ＯＣＲ」「翻訳」の各スキャン設定項目が抽出される。
【００８６】
そして、抽出された設定項目をユーザーが設定可能に表示部１２０に表示する。
【００８７】
表示部１２０に表示されるスキャン設定項目の表示例を図６に示す。この例では、スキャン設定項目がユーザー認証の設定等の他の項目とともに表示されている。また、各スキャン設定項目はプルダウンメニューで設定値を設定できるようになっている。図６の例では、スキャンデータのファイル形式としてＰＤＦが選択されており、ＰＤＦの設定をさらに詳細に行うための「暗号化ＰＤＦ」「パスワード」「サーチャブルＰＤＦ」等の設定項目が表示されている。ユーザーが選択したＭＦＰ２に応じて表示する設定項目が替わった場合、新たな設定項目や設定数値等を入れ替えて表示する。スキャンデータのファイル形式として例えばＴＩＦＦが選択された場合は、ＰＤＦの詳細設定の表示位置にＴＩＦＦの詳細設定が表示される。
【００８８】
この実施形態では、いずれのＭＦＰ２においても、プル型スキャンモードで可能な設定項目は全てプッシュ型スキャンモードでも設定可能となっているが、勿論異なっていても良い。
【００８９】
ユーザーが表示されたスキャン設定項目のうち、所望の設定項目を設定し、ＯＫボタンを押すと、スキャン設定が確定される。
【００９０】
スキャン設定が確定されると、アプリケーションは表示部１２０にスキャン開始ボタンを表示し、ユーザーによるボタンの押下を待つ。押下されると、アプリケーションは、ユーザーによって設定された全ての設定項目のスキャン設定を、プル型スキャンモードまたはプッシュ型スキャンモードで実行可能かどうかを判定する。プル型スキャンモードまたはプッシュ型スキャンモードのいずれか一方のモードでのみ、実行可能であると判定された場合、実行可能と判定されたスキャンモードを使用するスキャンモードとして決定する。
【００９１】
例えば、ＭＦＰ−Ａを選択したユーザーが、「カラーモード」「ファイル形式：ＰＤＦ」「暗号化ＯＮ」を設定した場合、「暗号化」はプル型スキャンモードでは実行できないことから、プッシュ型スキャンモードでのみ実行可能であると判定され、プッシュ型スキャンモードを使用するスキャンモードとして決定する。
【００９２】
また、プル型スキャンモードまたはプッシュ型スキャンモードのいずれのモードによっても、ユーザーによって設定された全ての設定項目のスキャン設定を実行可能であると判定された場合は、アプリケーションは、予め定められた条件に従って使用するスキャンモードを決定する。予め定められた条件として、この実施形態では、スキャンモードの終了までにユーザーに必要とされる操作ステップ数の少ない方、つまりユーザーにとって操作負担の少ない方のスキャンモードを、使用するスキャンモードとして決定するようになっている。
【００９３】
プル型スキャンモードの場合、ユーザーがＭＦＰ２の画像読取装置に原稿をセットしたあと、携帯端末１がユーザーによるスキャン開始指示を受け付けることにより、スキャンが開始されスキャンデータが携帯端末装置１に送信されてくることから、操作ステップは携帯端末１の１回の操作で済み、図７に示すように、操作ステップ数はＭＦＰ２の種類にかかわらず１である。
【００９４】
図８はプッシュ型スキャンモードの操作ステップ数を示す表である。プッシュ型スキャンモードの操作ステップ数は、ＭＦＰ２が携帯端末１からプログラム宛先登録が可能か否かによって相違する。プログラム宛先登録とは、ユーザーが設定したスキャン設定情報と、スキャンデータの携帯端末１への送信先であるWebDAVサーバーの宛先情報とを、携帯端末１から一括してプログラム宛先として登録するための機能である。この機能により、スキャン設定情報と携帯端末１の宛先情報とが、プログラム宛先としてＭＦＰ２に一括で登録されるから、ユーザーによるＭＦＰ２側でのスキャン指示が容易になる。
【００９５】
ＭＦＰ−Ｂについてはこのプログラム宛先登録機能があるため、ＭＦＰ２側で宛先などの設定を行う必要が無くプログラム宛先を選択してスキャンを開始すれば良いので、操作ステップ数は２である。ＭＦＰ−Ａについては携帯端末１からのスキャン設定情報と宛先情報とを登録する機能はあるが、ＭＦＰ２側で、登録されたスキャン設定や送信宛先等を再度選択して設定する必要があるため、操作ステップ数は３となっている。ＭＦＰ−Ｃについては、他社機であり、宛先登録機能が無く、ＭＦＰ２側で最初からスキャン設定や送信宛先等を設定する必要があるため操作ステップ数は４以上となっている。
【００９６】
さらに、図８の表では、全自動スキャン機能の有無についても併せて示されている。全自動スキャン機能とは、携帯端末１から、スキャン設定情報と、携帯端末１への宛先情報と、ＭＦＰ２でスキャンを開始させるためのスキャン開始情報とをＭＦＰ２のプッシュスキャン用のスキャンコントローラー部に送信すると、ＭＦＰ２は自動的にスキャンを開始して、携帯端末１の送信宛先にスキャンデータを送信する機能である。この機能を使用することにより、ユーザーがＭＦＰ２側でスキャン設定操作を行う必要はなくなり便利である。図８の例では、ＭＦＰ−Ａ及びＭＦＰ−Ｂは全自動スキャン機能を有しているが、ＭＦＰ−Ｃは当該機能を有していない。
【００９７】
なお、プル型スキャンモードまたはプッシュ型スキャンモードの操作ステップ数が同じである場合は、処理速度等の他の要素を考慮して、スキャンモードを決定しても良い。
【００９８】
また、使用するスキャンモードを操作ステップ数を基に決定するのではなく、各スキャンモードにおけるパフォーマンスやトータル性能を比較して、パフォーマンスやトータル性能が良い方のモードを決定しても良い。
【００９９】
アプリケーションはこうして使用するスキャンモードを決定したのち、決定したスキャンモードに応じた動作を実行する。例えばプル型スキャンモードに決定された場合は、TCP-Socket<TWAIN>インターフェースを使用したスキャンが実行される。つまり、スキャン設定情報と宛先情報がＭＦＰ２へ送信され、ユーザーがＭＦＰ２に原稿をセットしていることを前提として、ＭＦＰ２はスキャン動作を開始し、得られたスキャンデータを携帯端末１に送信する。
【０１００】
プッシュ型スキャンモードに決定された場合、携帯端末１内のWebDAVサーバーを起動したのち、ＭＦＰ２がプログラム宛先登録に対応していれば、該サーバーからスキャン設定情報と宛先情報をＭＦＰ２に送信して、プログラム宛先登録させる。そして、ＭＦＰ２側でスキン開始のための処理を実行するように表示部１２０にメッセージ等を表示する。ＭＦＰ２が全自動スキャンに対応している場合は、WebDAVサーバーからスキャン設定情報と宛先情報とスキャン開始情報をＭＦＰ２に送信する。ＭＦＰ２はスキャン開始情報に基づいて自動的にスキャンを開始する。
【０１０１】
このように、この実施形態では、ユーザーが選択したＭＦＰ２に関し、プル型スキャンモードにおいて設定可能な設定項目と、プッシュ型スキャンモードにおいて設定可能な設定項目のうち、少なくとも一方のスキャンモードにおいて設定可能な設定項目が、重複することなくかつユーザーが設定可能に表示部１２０に表示される。そして、表示された設定項目の中からユーザーによって設定された全ての設定項目のスキャン設定を、プル型スキャンモードまたはプッシュ型スキャンモードで実行可能かどうかが判定され、プル型スキャンモードまたはプッシュ型スキャンモードのいずれか一方のモードでのみ、ユーザーによって設定された全ての設定項目のスキャン設定を実行可能であると判定された場合、そのスキャンモードを使用するスキャンモードとして決定し、決定したスキャンモードに応じた動作を実行する。従って、ユーザーは表示部１２０に表示されたスキャン設定項目の中から所望の設定項目を設定すれば、２つのスキャンモードのうちいずれのスキャンモードを使用したら良いかを携帯端末１が自動的に決定するから、ユーザーはどちらのモードを選択使用したら良いかを判断する必要はなくなり、使い勝手が良くなる。
【０１０２】
また、プル型スキャンモードまたはプッシュ型スキャンモードのいずれのモードによっても、ユーザーによって設定された全ての設定項目のスキャン設定を実行可能であると判定された場合、プル型スキャンモードまたはプッシュ型スキャンモードのうち、スキャンモードの終了までにユーザーに必要とされる操作ステップ数の少ない方のスキャンモードが使用するスキャンモードとして決定されるから、ユーザーは操作が簡易なスキャンモードを使用することができる。
【０１０３】
次に、携帯端末１の動作を図９に示すフローチャートに基づいて説明する。この実施形態では、プッシュ型スキャンがプログラム宛先登録機能を用いて行われる場合を示す。また、図９のフローチャートに示される動作は、携帯端末１のＣＰＵ１０１が、固定記憶装置１１０等に格納されたスキャンモード設定用アプリケーション等に基づいて動作することにより実行される。
【０１０４】
ステップＳ０１でアプリケーションを起動すると、ステップＳ０２でＭＦＰ２のリストを表示する。ステップＳ０３では、リストの中からＭＦＰ２が選択されたかどうかを判断する。選択されなければ（ステップＳ０３でＮＯ）、選択されるのを待つ。ユーザーによるＭＦＰ２の選択を受け付けると（ステップＳ０３でＹＥＳ）、ステップＳ０４で、プル型スキャンモードプルにおいてスキャン設定可能な設定項目と、プッシュ型スキャンモードにおいてスキャン設定可能な設定項目を取得し、少なくとも一方のモードにおいて設定可能な設定項目を表示部１２０に表示する。
【０１０５】
ユーザーが所望の設定を行うと、ステップＳ０５でこの設定を受け付けたのち、ステップＳ０６で、表示部１２０に表示されたスキャン開始ボタンが押されたかどうかを判断する。押されていない場合は（ステップＳ０６でＮＯ）、押されるまで待つ。押されると（ステップＳ０６でＹＥＳ）、ステップＳ０７で、ユーザーが選択したＭＦＰ２はプル型スキャンモードに対応しておらず、しかもプッシュ型スキャンモードにおける宛先登録もできないかどうかを判断する。
【０１０６】
プル型スキャンモードに対応しているかまたは宛先登録が可能なＭＦＰ２である場合（ステップＳ０７でＮＯ）、ステップＳ０８に進み、ユーザーが行ったスキャン設定はプル型スキャンモードで可能なスキャン設定かどうかを判断する。プル型スキャンモードで可能なスキャン設定でなければ（ステップＳ０８でＮＯ）、この実施形態ではプッシュ型スキャンモードでのみ可能なスキャン設定であるから、プッシュ型スキャンモードを使用するスキャンモードとして決定し、ステップＳ０９でプッシュ型スキャンモードでのスキャンに必要な動作を行う。具体的には、WebDAVサーバーを起動し、スキャン設定情報及び携帯端末１自身のWebDAVサーバーの宛先情報をプログラム宛先登録するよう、セットでＭＦＰ２に送信する。そして、ステップＳ１０で、「ＭＦＰのプログラムボタンを押して、携帯端末を選択後、原稿をセットしてスタートキーを押して下さい」というメッセージを表示部１２０に表示したのち、ステップＳ１１に進み、ＭＦＰ２からのスキャンデータの受信を待つ（ステップＳ１１でＮＯ）。
【０１０７】
ＭＦＰ２は、スキャン設定情報及び宛先情報を受信すると、これらをプログラム宛先登録する。ユーザーが、ＭＦＰ２側でプログラムボタンを押してプログラム宛先登録された携帯端末１を選択後、原稿をセットして操作パネル２３０のスタートキーを押すと、原稿読取装置２２０による原稿の読み取りが開始され、プログラム宛先登録されたスキャン設定に従って読み取りが行われ、スキャンデータが得られる。このスキャンデータはプログラム宛先登録されている携帯端末１の宛先に送信される。携帯端末１はスキャンデータを受信すると（ステップＳ１１でＹＥＳ）、ステップＳ１２で、受信したスキャンデータを表示部１２０に表示する。
【０１０８】
ステップＳ０８において、プル型スキャンモードで可能なスキャン設定であれば（ステップＳ０８でＹＥＳ）、この実施形態ではプッシュ型スキャンモードでも設定可能なスキャン設定であるから、両方のモードで設定可能なスキャン設定であり、ステップＳ１４に進む。
【０１０９】
ステップＳ１４では、そのＭＦＰ２について、プル型スキャンモードの操作ステップ数とプッシュ型スキャンモードの操作ステップ数を比較したのち、ステップＳ１５で、プル型スキャンモードの方が操作ステップ数が少ないかどうかを判定する。プル型スキャンモードの方が操作ステップ数が少なければ（ステップＳ１５でＹＥＳ）、プル型スキャンモードを使用するスキャンモードとして決定し、ステップＳ１６で、TCP-Socket<TWAIN>インターフェースを使用したスキャンが実行される。つまり、スキャン設定情報と宛先情報がＭＦＰ２へ送信され、ユーザーがＭＦＰ２に原稿をセットしていることを前提として、ＭＦＰ２はスキャン動作を開始し、得られたスキャンデータを携帯端末１に送信する。
【０１１０】
送信後、ステップＳ１１に進んでスキャンデータの受信を待ち、スキャンデータを受信すると（ステップＳ１１でＹＥＳ）、ステップＳ１２でそのデータ表示する。
【０１１１】
ステップＳ１５で、プル型スキャンモードの方が操作ステップ数が少なくなければ（ステップＳ１５でＮＯ）、プッシュ型スキャンモードを使用するスキャンモードとして決定し、ステップＳ０９に進み、前述したように、WebDAVサーバーを起動し、スキャン設定情報及び携帯端末１自身のWebDAVサーバーの宛先情報をプログラム宛先登録するよう、セットでＭＦＰ２に送信する。
【０１１２】
なお、プル型スキャンモードの方が操作ステップ数とプッシュ型スキャンモードの操作ステップ数とが同じである場合は、処理速度等の他の要素を考慮していずれのスキャンモードにするかを決定しても良い。
【０１１３】
ステップＳ０７において、ユーザーが選択したＭＦＰ２が、プル型スキャンモードに対応しておらず宛先登録もできないＭＦＰ２である場合（ステップＳ０７でＹＥＳ）、ステップＳ１３に進み、表示部１２０の画面を通常のプッシュ型スキャンモードの画面に遷移させるとともに、WebDAVサーバーを起動したあと、ステップＳ１１に進み、ＭＦＰ２からのスキャンデータの受信を待つ（ステップＳ１１でＮＯ）。なお、ステップＳ１３で表示される画面には、宛先設定及びスキャン設定をＭＦＰ２で行ったあと、スキャンを開始してほしい旨のメッセージが表示される。従って、ユーザーが選択したＭＦＰ２が、プル型スキャンモードに対応しておらず、かつプッシュ型スキャンモードのための宛先登録機能もない場合であっても、ユーザーは画面に従ってＭＦＰ２側で送信宛先の設定を行ってスキャンデータを携帯端末１に送信することができる。
【０１１４】
ユーザーがＭＦＰ２側でスキャン設定や宛先設定を行うとともに、画像読取装置２２０に原稿をセットして、操作パネル２３０からスキャン開始を指示すると、スキャンデータが携帯端末１に送信され、携帯端末１がこのスキャンデータを受信すると（ステップＳ１１でＹＥＳ）、ステップＳ１２で、受信したスキャンデータを表示部１２０に表示する。
【０１１５】
図１０は、携帯端末１の他の動作を示すフローチャートである。この実施形態では、プッシュ型スキャンが全自動スキャン機能を用いて行われる場合を示す。なお、図１０のフローチャートに示される動作は、携帯端末１のＣＰＵ１０１が、固定記憶装置１１０等に格納されたスキャンモード設定用アプリケーション等に基づいて動作することにより実行される。
【０１１６】
ステップＳ２１でアプリケーションを起動すると、ステップＳ２２でＭＦＰ２のリストを表示する。ステップＳ２３では、リストの中からＭＦＰ２が選択されたかどうかを判断する。選択されなければ（ステップＳ２３でＮＯ）、選択されるのを待つ。ユーザーによるＭＦＰ２の選択を受け付けると（ステップＳ２３でＹＥＳ）、ステップＳ２４で、プル型スキャンモードプルにおいてスキャン設定可能な設定項目と、プッシュ型スキャンモードにおいてスキャン設定可能な設定項目を取得し、少なくとも一方のモードにおいて設定可能な設定項目を表示部１２０に表示する。
【０１１７】
ユーザーが所望の設定を行うと、ステップＳ２５でこの設定を受け付けたのち、ステップＳ２６で、表示部１２０に表示されたスキャン開始ボタンが押されたかどうかを判断する。押されていない場合は（ステップＳ２６でＮＯ）、押されるまで待つ。押されると（ステップＳ２６でＹＥＳ）、ステップＳ２７で、ユーザーが選択したＭＦＰ２はプル型スキャンモードに対応していないかどうかを判断する。
【０１１８】
プル型スキャンモードに対応しているＭＦＰ２である場合（ステップＳ２７でＮＯ）、ステップＳ２８に進み、ユーザーが行ったスキャン設定はプル型スキャンモードで可能なスキャン設定かどうかを判断する。プル型スキャンモードで可能なスキャン設定でなければ（ステップＳ２８でＮＯ）、この実施形態ではプッシュ型スキャンモードでのみ可能なスキャン設定であるから、プッシュ型スキャンモードを使用するスキャンモードとして決定し、ステップＳ２９でプッシュ型スキャンモードでのスキャンに必要な動作を行う。具体的には、WebDAVサーバーを起動し、スキャン設定情報、携帯端末１自身のWebDAVサーバーの宛先情報、及びスキャン開始情報を、セットでＭＦＰ２のプッシュ型スキャンモード用のスキャンコントローラに送信する。次いでステップＳ３０に進み、ＭＦＰ２からのスキャンデータの受信を待つ（ステップＳ３０でＮＯ）。
【０１１９】
ＭＦＰ２では、携帯端末１からスキャン開始情報を受信すると、原稿読取装置２２０による原稿の読み取りが自動的に開始され、同じく受信したスキャン設定に従って読み取りが行われ、スキャンデータが得られる。このスキャンデータは受信した携帯端末１の宛先に送信される。携帯端末１はスキャンデータを受信すると（ステップＳ３０でＹＥＳ）、ステップＳ３１で、受信したスキャンデータを表示部１２０に表示する。
【０１２０】
ステップＳ２８において、プル型スキャンモードで可能なスキャン設定であれば（ステップＳ２８でＹＥＳ）、この実施形態ではプッシュ型スキャンモードでも設定可能なスキャン設定であるから、両方のモードで設定可能なスキャン設定であり、ステップＳ３３に進む。
【０１２１】
ステップＳ３３では、そのＭＦＰ２について、プル型スキャンモードの操作ステップ数とプッシュ型スキャンモードの操作ステップ数を比較したのち、ステップＳ３４で、プル型スキャンモードの方が操作ステップ数が少ないかどうかを判定する。プル型スキャンモードの方が操作ステップ数が少なければ（ステップＳ３４でＹＥＳ）、プル型スキャンモードを使用するスキャンモードとして決定し、ステップＳ３５で、TCP-Socket<TWAIN>インターフェースを使用したスキャンが実行される。つまり、スキャン設定情報と宛先情報がＭＦＰ２へ送信され、ＭＦＰ２はスキャン動作を開始し、得られたスキャンデータを携帯端末１に送信する。
【０１２２】
送信後、ステップＳ３０に進んでスキャンデータの受信を待ち、スキャンデータを受信すると（ステップＳ３０でＹＥＳ）、ステップＳ３１でそのデータ表示する。
【０１２３】
ステップＳ３４で、プル型スキャンモードの方が操作ステップ数が少なくなければ（ステップＳ３４でＮＯ）、プッシュ型スキャンモードを使用するスキャンモードとして決定し、ステップＳ２９に進み、前述したように、WebDAVサーバーを起動し、スキャン設定情報及び携帯端末１自身のWebDAVサーバーの宛先情報をプログラム宛先登録するよう、セットでＭＦＰ２に送信する。
【０１２４】
ステップＳ２７において、ユーザーが選択したＭＦＰ２が、プル型スキャンモードに対応していないＭＦＰ２である場合（ステップＳ２７でＹＥＳ）、ステップＳ３２に進み、表示部１２０の画面を通常のプッシュ型スキャンモードの画面に遷移させるとともに、WebDAVサーバーを起動したあと、ステップＳ３０に進み、ＭＦＰ２からのスキャンデータの受信を待つ（ステップＳ３０でＮＯ）。なお、ステップＳ３２で表示される画面には、この画面には、宛先設定及びスキャン設定をＭＦＰ２で行ったあと、スキャンを開始してほしい旨のメッセージが表示される。
【０１２５】
ユーザーがＭＦＰ２でスキャン設定や宛先設定を行うとともに、画像読取装置２２０に原稿をセットして、スキャン開始を指示すると、スキャンデータが携帯端末１に送信され、携帯端末１がこのスキャンデータを受信すると（ステップＳ３０でＹＥＳ）、ステップＳ３１で、受信したスキャンデータを表示部１２０に表示する。
【符号の説明】
【０１２６】
１      携帯端末装置
１０１  ＣＰＵ
１０２  ＲＯＭ
１１０  固定記憶装置
１２０  表示部
２      画像処理装置
２２０  画像読取装置
２３０  操作パネル
【図１】
2017112508.tif 000003
【図２】
2017112508.tif 000004
【図３】
2017112508.tif 000005
【図４】
2017112508.tif 000006
【図５】
2017112508.tif 000007
【図６】
2017112508.tif 000008
【図７】
2017112508.tif 000009
【図８】
2017112508.tif 000010
【図９】
2017112508.tif 000011
【図１０】
2017112508.tif 000012